(57)【要約】　　　（修正有）【課題】可燃性ガスが残っているカセットボンベ、スプレー缶、使い捨てライター等の容器、灯油等の燃料が残存する暖房機器などが塵芥の中に混入している場合であっても、可燃性ガスあるいは気化ガス等による爆発事故や火災事故の発生を未然に防止することができる塵芥収集車を提供する。【解決手段】車両上に搭載された塵芥収容コンテナ２１と、塵芥収容コンテナの後方に塵芥投入箱２４が連設され、塵芥投入箱内に設置された塵芥積込装置により塵芥収容コンテナ内に積み込まれるように構成されてなる塵芥収集車２０において、塵芥を塵芥収容コンテナ内に送り込むプレスプレート２６（回転式塵芥収集車にあっては回転板）とプレスプレートが摺接するドラム板２９とを湿潤状態となし、塵芥に混入する金属廃棄物とドラム板との間に生じる金属間摩擦による発火（スパーク）の発生を未然に防止する手段を具備せしめた。【選択図】図２
2004067384.tif 000002
【特許請求の範囲】
【請求項１】
車両上に搭載された塵芥収容コンテナと、該塵芥収容コンテナの後方に塵芥を投入するための塵芥投入箱が連設され、塵芥投入箱内に設置された塵芥積込装置により塵芥収容コンテナ内に積み込まれるように構成されてなる塵芥収集車において、塵芥を塵芥収容コンテナ内に送り込むプレスプレートまたは回転板とプレスプレートまたは回転板が摺接するドラム板とを湿潤状態となし、塵芥に混入する金属廃棄物とドラム板との間に生じる金属間摩擦による発火を未然に防止する手段を具備せしめたことを特徴とする塵芥収集車。
【請求項２】
塵芥収容コンテナの後方に連設された塵芥投入箱における投入口に、プレスプレートあるいは回転板の先端部分に散水するノズルを配置し、該ノズルと給水タンクとをバルブを介して配管により接続したことを特徴とする塵芥収集車。
【請求項３】
前記給水タンクを塵芥収容コンテナの上部に設置したことを特徴とする請求項１および２記載の塵芥収集車。
【請求項４】
緊急時に放水する放水ガンを前記ノズルと給水タンクとを接続する配管より分岐させて設けたことを特徴とする請求項１ないし３記載の塵芥収集車。
【請求項５】
塵芥収容コンテナの後方に連設された塵芥投入箱におけるプレスプレートあるいは回転板の作動に連動させてプレスプレートあるいは回転板の先端部分に散水することを特徴とする請求項１乃至４の何れかに記載の塵芥収集車。
【発明の詳細な説明】
【０００１】
【発明の属する技術分野】
本発明は、圧縮板式、回転板式等の塵芥収集車に関する。
【０００２】
【従来の技術】
従来の塵芥収集車は、車体上に塵芥収容コンテナが載置され、この塵芥収容コンテナ後方に塵芥を投入するための塵芥投入箱が連設され、塵芥投入箱内に設置された塵芥積込装置により塵芥収容コンテナ内に積み込まれるように構成されている。
【０００３】
いま、圧縮板式塵芥収集車における塵芥積込装置の一例について説明すると、図　に示すように、塵芥投入箱１の両側板１ａ，１ａ（一方のみ図示）に各々前方上部から後方下部に向って傾斜する一対のガイドレール２，２を設け、この一対のガイドレール２，２間にパッカープレート３をガイドローラ４，４を介して昇降自在に設けるとともに、このパッカープレート３の下端部に枢軸５を介してプレスプレート６を回動自在に設け、プレスプレート６を回動用シリンダー（図示を省略した。）により枢軸５を支点に回動させ、また、パッカープレート３を昇降用シリンダー（図示を省略した。）によりガイドレール２，２に沿って昇降させるように構成されている。
【０００４】
前述の構成を有する塵芥積込装置の塵芥収容コンテナ７への塵芥の積込動作を説明するに、先ず、パッカープレート３を昇降用シリンダーによりガイドレール２，２の上昇終端位置に移動させ、また、プレスプレート６を回動用シリンダー（図示を省略した。）により枢軸５を支点に回動させて終端位置で待機させ、この状態で次回の塵芥が塵芥投入箱１内に投入される。
【０００５】
次に、パッカープレート３をガイドレール２，２に沿って下降させるとパッカープレート３に枢支されているプレスプレート６もパッカープレート３の下降に伴って同時に下降し、これにより、塵芥投入箱１のドラム板１ｂ上の塵芥がプレスプレート６により一次圧縮される。
【０００６】
次に、プレスプレート６を回動用シリンダー（図示を省略した。）により枢軸５を支点に回動させ（図中時計方向に回動）させることにより、一次圧縮された塵芥投入箱１のドラム板１ｂ上の塵芥がプレスプレート６の回動によりさらに二次圧縮され、塵芥収容コンテナ７内に送出されることになる。
【０００７】
更に、プレスプレート６の姿勢を保持した状態で昇降用シリンダーを作動させてパッカープレート３をガイドレール２，２に沿って上昇させると、これにより、二次圧縮された塵芥がプレスプレート６により塵芥収容コンテナ７内に積み込まれる。以上をもって一巡の積込サイクルが終了し、以後以上と同様の操作を繰り返すことによって塵芥の収集が行われる。
【０００８】
【発明が解決しようとする課題】
ところで、上記従来の圧縮板式の塵芥収集車にあっては、可燃性ガスの残ったカセットボンベ、使い捨てライター、スプレー缶、さらには、残存する灯油等の可燃物等が他の塵芥に混ざって投入された場合の爆発事故や火災事故が問題となっている。その原因として、カセットボンベ等がパッカープレート３やプレスプレート６によって押しつぶされ、残留ガス等あるいはガソリン、灯油等が塵芥収容コンテナ７内おいて気化し充満蓄積し、これが積込み作業中におけるプレスプレート６による圧壊され、ドラム板１ｂ上を引き摺られる際に生じる金属間同士の接触（摩擦）によって生じた火花（スパーク）が、前記塵芥収容コンテナ７内の可燃性の残留ガスに引火することによるものと考えられている。
【０００９】
かかる爆発事故や火災事故の発生は、塵芥収集車の損壊は勿論、甚だしい場合には人身事故に繋がるばかりでなく、火災時における消火については関係機関への通報と消火活動を行うこととなり、消火作業に際しては塵芥収容コンテナ７内の収集物を排出して行う必要があるため、排出することにより新たな酸素が供給されることから燃焼の広がり、消火作業に手間取るのみならず、その作業に際して周辺に対する塵埃の飛散さらには悪臭が拡散するなどの影響を及ぼし、さらには、消火後における残灰の整理、回収、周辺の清掃等の作業を伴うこととなる。
【００１０】
そして、このような爆発事故や火災事故は、圧縮板式の塵芥収集車に限られた問題ではなく、回転板式や荷箱回転式等、塵芥を圧縮した状態で荷箱内に積込む構成を採用した塵芥収集車全てについての問題と認識されている。従って、何れの方式の塵芥収集車であったとしても、この問題を解消しないことには、作業者の安全性は確保されない。
【００１１】
かかる問題を解決するために、車両上に搭載された塵芥収容コンテナと、該塵芥収容コンテナの後方開口部を閉塞する後扉とを備え、該後扉に設けられた投入口から投入された塵芥を塵芥収容コンテナ内に積込むよう構成されてなる塵芥収集車において、前記塵芥中に混入するカセットボンベ等から放出された可燃性ガスを検知する可燃性ガス検知手段と、該可燃性ガス検知手段の検知信号によって塵芥の積込み処理を停止する制御手段を備えてなる塵芥収集車が提案されている。（特開２００２−８７５０９公報。以下、従来技術１という。）
【００１２】
また、塵芥収容コンテナの内部天井に消火ノズルを設け、この消火ノズルに給水源からの水を供給して噴射させることにより、塵芥収容コンテナ内の塵芥火災を消火するようにした。また、消火ノズルの先端に噴射時の水圧により破壊可能なカバー部材を取付け、塵芥による消火ノズルの目詰まりを防止するようにし、加えて、塵芥収容コンテナの内部に火災発生を検知するセンサーを取付けるとともに、運転席の内部に前記センサーからの信号を受けて火災発生を表示する表示装置を設け、火災を早期に発見するようにし、更に、運転席の内部に消火栓の設置位置を知らせるナビゲーションシステムを装備せしめ、消火栓に短時間で到着するようにした塵芥収集車が提案されている。（実用新案登録第３０８４５３２号公報。以下、従来技術２という。）
【００１３】
さらに、ごみ収集車に水噴射装置を備え、該水噴射装置は水タンクと、ポンプと、該ポンプに接続するノズル付ホースとからなり、火災発生時に消化作業を行ないうるようにした塵芥収集車が提案されている。（特開平１１−５９８１０号公報。以下、従来技術１という。）
【００１４】
しかしながら、前述の従来技術１にあっては、塵芥収容コンテナ内に蓄積される可燃性ガスの検知手段を設け、該検知手段の信号により積込作業を停止させるものであり、これにあわせて、窒素の不燃ガス、アルゴンなどの不活性ガスを搭載し、異常時に塵芥収容コンテナ内に前記ガスを供給することによって蓄積される可燃性ガスの濃度を希釈するもので、このためには不燃ガス・不活性ガスの貯留タンクを格別に装備させる必要が有り、前記ガスの補充、管理に手数を要することとなる。
【００１５】
また、従来技術２にあっては、塵芥収容コンテナの内部天井に散水ノズルを配置し、このノズルに対する水の供給を消火栓に依存するものであるために、塵芥収容コンテナ内において消火作業をなし得ることから、内容物を取出すことなく消火できるというメリットは存するものの、消火に際しては消火栓の設置場所まで移動し、消火栓とミスノズル配管とを接続する必要が有り、出火という緊急時における対応、消火作業に遅滞を生じることとなる。
【００１６】
さらにまた、従来技術３にあっては、塵芥収集車に消火作業をなさしめるために水タンクを積載したものに過ぎず、出火時における消火作業をなさしめるものの、発火を未然に防止するものではなく、塵芥収容コンテナ内の消火に対しては従前と同様に内容物を取出して消火しなければならない。
【００１７】
そこで、本発明はこのような問題点を解決するためになされたもので、可燃性ガスが残っているカセットボンベ、スプレー缶、使い捨てライター等の容器、あるいは、灯油などの残存する暖房機器等が塵芥の中に混入している場合であって、これら可燃性ガスあるいは灯油などの気化ガスに起因する爆発事故や火災事故の発生を未然に防止することができる塵芥収集車を提供することを課題とする。
【００１８】
【課題を解決するための手段】
本発明は上記課題を解決すべくなされたものであって、車両上に搭載された塵芥収容コンテナと、該塵芥収容コンテナの後方に塵芥を投入するための塵芥投入箱が連設され、塵芥投入箱内に設置された塵芥積込装置により塵芥収容コンテナ内に積み込まれるように構成されてなる塵芥収集車において、塵芥を塵芥収容コンテナ内に送り込むプレスプレート（回転式塵芥収集車にあっては回転板で、以下、単にプレスプレートという。）とプレスプレートが摺接するドラム板とを湿潤状態となし、塵芥に混入する金属廃棄物とドラム板との間に生じる金属間摩擦による発火（スパーク）を未然に防止する手段を具備せしめた塵芥収集車である。
【００１９】
即ち、本発明に係る塵芥収集車は、塵芥収容コンテナの後方に連設された塵芥投入箱における投入口に、プレスプレートの先端部分に散水するノズルを配置し、該ノズルと給水タンクとをバルブを介して接続したことを特徴とするものである
【００２０】
また、本発明に係る塵芥収集車は、前記給水タンクを塵芥収容コンテナの上部に設置するのが好ましく、給水タンクからの送水ポンプの故障時においても、給水タンクのヘッド圧により給水を可能とすることから装置の信頼性を高めることになる。
【００２１】
さらに、本発明に係る塵芥収集車にあっては、緊急時に放水する放水ガンを前記ノズルと給水タンクとを接続する配管により分岐させて設けるのが好ましく、これにより、非常事態の発生に作業者が迅速に対応することができる。
【００２２】
また、本発明に係る塵芥収集車は、塵芥収容コンテナの後方に連設された塵芥投入箱におけるプレスプレートあるいは回転板の作動に連動させてプレスプレートあるいは回転板の先端部分に散水するように構成することにより効率的に発火の防止を行うことが可能となる。
【００２３】
かかる構成は、圧縮板式や回転板式の塵芥収集車を対象としたものであり、この二つの形式における塵芥収集車では、投入口から投入された塵芥が積込装置によって塵芥収容コンテナ内に送り込まれるために、塵芥がドラム板を通過する過程において、カセットボンベ、さらには、暖房機器等が押しつぶされて可燃性ガスあるいは燃料が放出され、塵芥収容コンテナ内に蓄積したガスによる爆発、火災の原因となる発火を未然に防止することが可能となる。
【００２４】
【発明の実施の形態】
以下、本発明の一実施形態について、圧縮板式の塵芥収集車に基づいて説明する。
【００２５】
本実施形態に係る塵芥収集車は、図に示す如く、車両２０上に搭載された略長方形状の箱体からなる塵芥収容コンテナ２１が載置されてなり、また、この塵芥収容コンテナ２１内には、収集した塵芥を処理場に搬送した際に塵芥を塵芥収容コンテナ２１から排出するために塵芥を押出す排出板２２を備えた排出装置が配備されている。
【００２６】
前記塵芥収容コンテナ２１の後方部の上端にピン２３により回動自在に取付けられた塵芥投入箱２４が連設されている。この塵芥投入箱２４の構成は前述と同様の構成を有するもので、図２においてはその概略を示したものであって、即ち、塵芥投入箱２４の両側板に前方上部から後方下部に向って傾斜する一対のガイドレールに案内されたパッカープレート２５昇降自在に設けるとともに、このパッカープレート２５の下端部に枢軸２７を介してプレスプレート２６を回動自在に設け、プレスプレート２６の枢軸２７を支点にする回動と、また、パッカープレート２５の昇降運動の協同により塵芥投入箱２４の投入口２８に投げ込まれた塵芥をドラム板２９を通過させて塵芥収容コンテナ２１に送り込むように構成されている。
【００２７】
塵芥投入箱２４にはプレスプレート２６の上方で、かつ、投入口２８の全幅方向に亘ってノズル配管３０が架設され、該ノズル配管３０にはプレスプレート２６に向かって、換言すれば、プレスプレート２６を含めてドラム板２９全面に水を散水する様にノズル口３０’が穿設されている。ノズル配管３０は図３に詳細を示す様に、ノズル配管３０にはノズル配管３０に対する水の供給と緊急放水ガン３７に対する水の供給とを切り替えるための三位置二方向の切替弁３１、ノズル配管３０に対する水の供給のオン−オフを行う電磁弁３２を介して車両２０に積載された給水タンク３３に設置された水中ポンプ３４と配管３５により連結され、前記配管３５における電磁弁３２を迂回する様にバイパス管路３６が設けられ、このバイパス管路３６の途中にストップ弁３６’が配設されている。なお、配管３５のうち、塵芥収容コンテナ２１から塵芥投入箱２４へ移行する部位は、該塵芥投入箱２４の回転に対応して屈曲自在な配管部材３５’（例えば、フレキシブル配管やホース配管）が採用されている。
【００２８】
前記給水タンク３３には、給水タンク３３内に液面レベルを検出するレベル計３８が設置され、給水タンク３３内に緊急放水用として必要な水量を確保するための設定レベル（下限レベル）に達した時に作業者に報知する警報信号を発するように構成され、さらに、上部側面に給水タンク３３に対する水の供給をなすために注水パイプ３９が接続されている。図示の実施例におけるレベル計３８はフロート式のレベル計を採用するものであるが、これに限定されるものではなく光学式、音波式等のレベル計等を採用し得るものである。なお、図中４０は流量調整弁である。
【００２９】
また、塵芥投入箱２４の側面には、緊急放水用のスイッチ５０および給水タンク３３の給水下限レベルの警報を表示する警報灯４８が設置され、塵芥の収集作業に伴うパッカープレート２５およびプレスプレート２６作動を操作する操作スイッチ４１が併設され、この操作スイッチ４１に散水を制御する操作ボタンが設けられている。
【００３０】
前記実施例においては、給水タンク３３は塵芥収容コンテナ２１の上部に設置した場合について説明したが、これに限定するものではなく、車両２０の任意の場所、例えば、運転キャビンと塵芥収容コンテナ２１との間のスペース等に設置しうるものであるが、実施例に示す様ように塵芥収容コンテナ２１の上部に設置する場合には水中ポンプ３４が故障した場合にあっても、水はサイフォンの原理に基づいて自然に落下することなり、パッカープレート２５に対する散水を継続することが可能となる。
【００３１】
図４は電気系統図の一例を示すもので、操作スイッチ４１は常時オフ位置にあって押し込み時にオン作動する作動ボタン４２と、常時オン位置にあり押し込み時にオフ作動する停止ボタン４３とからなり、操作スイッチ４１の操作によってリレースイッチ４４の開閉操作を行う。この操作スイッチ４１は、パッカープレート２５およびプレスプレート２６を駆動する作動装置４５に対する操作スイッチと共用することも可能であって、共用することによって塵芥の積込作業に連動させてプレスプレート２６に水を散水することができる。
【００３２】
制御回路には水中ポンプ３４のモーター３４’と、ノズル配管３０に対する水の供給のオン−オフを行う電磁弁３２のソレノイド３２’とが並列に接続され、さらに、レベル計３８の給水下限レベル検知によって作動するリレースイッチ４７と警告灯および／または警報機４８とその接続を断続する手動スイッチ４９とからなる警報回路４６が直列に接続され、また、前述のリレースイッチ４４が、塵芥の積込み作業においてプレスプレート２６による塵芥の圧壊に伴う飛散による損傷、長期間使用による故障時、あるいは、作動不良時にあっても散水の続行を可能とする目的でリレースイッチ４４を迂回するように手動によって操作される緊急スイッチ５０が介設されている。
【００３３】
前述の構成を有する塵芥収集車の動作態様を説明するに、塵芥の収集に際して操作スイッチ４１の作動ボタン４２を操作するとパッカープレート２５およびプレスプレート２６の作動装置４５を作動させ、パッカープレート２５およびプレスプレート２６が協動して塵芥投入箱２４の投入口２８に投げ込まれた塵芥を、ドラム板２９を通過させて塵芥収容コンテナ２１に送り込むように作動を開始し、同時に、前記パッカープレート２５およびプレスプレート２６の作動に同期して散水が開始される。
【００３４】
即ち、作動ボタン４２が投入されるとリレースイッチ４４が作動し、散水のための制御回路を通電することとなり、これによって水中ポンプ３４のモーター３４’に通電されて水中ポンプ３４を駆動することにより水の送給を開始し、また、配管３５の途中に設けられた電磁弁３２のソレノイド３２’が通電され、電磁弁３２を閉鎖位置から開作動させて配管３５を連通状態となし、ノズル配管３０への給水を行うこととなり、該ノズル配管３０のノズル口３０’からプレスプレート２６の上面に向かって散水が開始される。
【００３５】
ノズル配管３０からの水の散水は、塵芥の収集作業が行われる間、連続的に散水され、プレスプレート２６の上面に散水される水は投入口２８に投入される塵芥に対しても散水することから塵芥をも湿潤状態となし、また、散水された水はドラム板２９内に滞留し、この結果、プレスプレート２６とドラム板２９との摺接面は常時湿潤状態となることから、塵芥収容コンテナ２１への送り込み時に生じるプレスプレート２６とドラム板２９との間に挟着された塵芥中の金属製廃棄物がドラム板２９を摺接する相互間の摩擦による発火（スパーク）の発生、あるいは、塵芥中のカセットボンベ等が積込み作業中において押しつぶされた際に生じる発火の発生さらには、塵芥中に含まれる金属廃棄物間相互の摩擦による発火の発生を未然に防止できる。
【００３６】
塵芥の収集ガ終了した場合、操作スイッチ４１の停止ボタン４３を操作すると、リレースイッチ４４のコイル対する通電が遮断され、これにより散水のための制御回路の通電が遮断されることとなり、これによって水中ポンプ３４のモーター３４’、電磁弁３２のソレノイド３２’に対する通電が遮断されることから、水中ポンプ３４の停止、電磁弁３２は開位置から閉位置に復帰して配管３５を閉鎖状態となし、ノズル配管３０への給水を停止し、散水が停止される。なお、操作スイッチ４１の停止ボタン４３の操作によりパッカープレート２５およびプレスプレート２６の作動装置４４停止されることは勿論である。
【００３７】
前述の作業時において、給水タンク３３における貯留水が下限レベルに到達した時、レベル計３８が作動し、リレースイッチ４７を作動させ、警告灯および／または警報機４８（図１の実施例においては警告灯を示している。）からなる警報回路４６により作業者に水の補給時期を報知させるが、作業者が確認を行うとスイッチ４９により警報回路４６を切断するとともに、塵芥収集作業の終了後において速やかに給水設備（水道設備）に給水パイプ３９を接続して水の補給を行う。
【００３８】
また、塵芥の収集に際して散水を行おうとする場合に、塵芥の積込み作業においてプレスプレート２６による塵芥の圧壊に伴う飛散による損傷に起因して配管３５の途中に設置してなる電磁弁３２が損傷し、長期間の使用による故障あるいは作動不良を生じてノズル配管３０からの散水が行われ難くなった場合、配管３５における電磁弁３２のバイパス管路３６に介設してなるストップ弁３７を開放することによって散水を継続させることができ、また、給水タンク３３に設置した水中ポンプ３４が作動不良を生起した場合、給水タンク３３を塵芥収容コンテナ２１の上部に設置する場合にあっては、配管３５の電磁弁３２を作動させて連通状態とすれば、サイフォンの原理に基づいて落下することになり、散水を継続し得ることになり所期の目的を達することができる。
【００３９】
さらに、前述の説明によって明らかなように、プレスプレートおよび／または塵芥を湿潤状態として積み込むことによって金属間摩擦に起因する火花（スパーク）を回避しうることから、発火に伴う火災を生じることはないと考えられるが、塵芥の収集中、あるいは、搬送中に塵芥収容コンテナ２１内において発火するケースが皆無とは言えない。本発明にあっては、かかる場合における対策として、火災を感知した場合において、積込作業、あるいは、車両の運転を停止すると共に、緊急スイッチ５０を入れると、電磁弁３２、水中ポンプ３４が作動し、また、配管３５に介設してなる切替弁３１を切り替えて緊急放水ガン３７を用いての消火作業を行いうる構成を採用している。このため、給水タンク３３には緊急放水用の水を保有せしめるために、必要な緊急放水量に相当する下限レベルを設定し、レベル計３８による監視と、所要の貯水量を確保する様にするのが望ましい。
【００４０】
尚、本発明に係る塵芥収集車は上記実施形態に限定されるものではなく、本発明の要旨を逸脱しない範囲にて種々の変更が可能である。
【００４１】
例えば、前述の実施形態においては、ノズル配管３０を投入口２８におけるプレスプレート２６の上方位置に配置し、散水するように構成しているが、投入口２８の両側壁に散水ノズルを配置し、プレスプレート２６および塵芥に対して散水するようにし、あるいは、ドラム板２９内に水が貯留するようにドラム板２９内に直接に水を供給させ、スパーク発生の原因となる箇所を湿潤させることによってスパーク発生そのものを根絶し、発火を防止することができる。
【００４２】
また、前述の実施例では、散水は塵芥の積込み作業中において連続的に行う公正を採用するが、プレスプレート２６の動作に連携させて散水するようになすことによって、使用水量を節減しうることも可能なものである。
【００４３】
【発明の効果】
以上の説明から明らかとなるように、本発明に係る塵芥収集車にあっては、塵芥中に混入するカセットボンベ、使い捨てライター、あるいは、灯油などが残存した暖房機器等がつぶれて中から可燃性ガスが放出され、塵芥収容コンテナ内に滞留、蓄積されて火災／爆発の危険性を生じた場合にあっても、プレスプレートおよび／またはドラム板に水を供給することでプレスプレート（回転式塵芥収集車にあっては回転板）とプレスプレートが摺接するドラム板とを常時湿潤状態となし、ひいては塵芥をも湿潤状態となすことから、プレスプレートの作動時における金属製廃棄物との金属間摩擦によるガス引火の原因となる火花（スパーク）の発生を無くすことができ、加えて、塵芥をも湿潤状態となすことから、塵芥収容コンテナ内における着火をも防止しうることとなり、従って、爆発事故や火災事故の発生を未然に防止することができるから、作業性の安全を確保しつつ、塵芥の収集作業を停滞することなく継続することができる。
【図面の簡単な説明】
【図１】本発明の一実施形態に係る塵芥収集車の後方から見た斜視図。
【図２】同側面図。
【図３】本発明の一実施形態に係る配管系統を示す説明図。
【図４】本発明の一実施形態に係る電気制御回路図。
【図５】従来の塵芥収集車における塵芥投入装置の側面図。
【符号の説明】
２０：車両
２１：塵芥収容コンテナ
２４：塵芥投入箱
２５：パッカープレート
２６：プレスプレート
２９：ドラム板
３０：ノズル配管
３１：切替弁
３２：電磁弁
３３：給水タンク
３４：水中ポンプ
３５：配管
３６：バイパス管路
３６’：ストップ弁
３７：緊急放出ガン
３８：レベル計
３９：注水パイプ
４０：流量調整弁
４１：操作スイッチ
４２：作動ボタン
４３：停止ボタン
４４：リレースイッチ
４５：作動装置
４６：警報回路
４７：リレースイッチ
４８：警報灯および／または警報機
４９：手動スイッチ
５０：緊急スイッチ
【図１】
2004067384.tif 000003
【図２】
2004067384.tif 000004
【図３】
2004067384.tif 000005
【図４】
2004067384.tif 000006
【図５】
2004067384.tif 000007